(57)【要約】【課題】革製品である拳銃フォルダを過剰に乾燥させることなく、しかも、拳銃保管庫内でカビが発生するのを抑制可能な拳銃保管庫用調湿具を提供すること。【解決手段】拳銃保管庫用調湿具１は、不織布によって形成された透湿性容器２と、透湿性容器２の端部に設けられたフック３とを備え、さらに、透湿性容器２の内部には、硬質な板紙５が設けられるとともに、シリカゲルが封入された構造になっている。透湿性容器２内に封入されたシリカゲルは、相対湿度２０％における吸着率６％以上、相対湿度５０％における吸着率１６％以上、相対湿度９０％における吸着率５５％以上、含水率２％以下、５％スラリーとしたときのｐＨ６．５、充填密度０．６０ｇ／ｍｌ、細孔容積０．６０ｍｌ／ｇ、比表面積５９０ｍ2／ｇ、平均細孔径４．０ｎｍといった物性を持ち、Ａ形シリカゲルやＢ形シリカゲルとは異なる物性を持つ特殊なものとなっている。【選択図】図１
0003127437.tif 000002
【実用新案登録請求の範囲】
【請求項１】
透湿性のある素材によって形成された透湿性容器と、
前記透湿性容器内に封入された調湿剤とを備えてなり、
前記調湿剤は、相対湿度２０％における吸着率６％以上、相対湿度５０％における吸着率１６％以上、相対湿度９０％における吸着率５５％以上、細孔容積０．５５〜０．６５ｍｌ／ｇ、比表面積５００〜６００ｍ2／ｇに調製されたシリカゲルである
ことを特徴とする拳銃保管庫用調湿具。
【請求項２】
前記透湿性容器は、拳銃保管庫内に保管された拳銃が存在するか否かを確認するための点検窓から前記拳銃保管庫内に差し入れ可能な形態に形成されている
ことを特徴とする請求項１に記載の拳銃保管庫用調湿具。
【請求項３】
前記透湿性容器は、
前記拳銃保管庫内へ設置した状態において、拳銃保管庫内への差し込み方向を長さ方向、前記長さ方向に直行する水平な方向を幅方向、前記長さ方向および前記幅方向の双方に直行する方向を厚さ方向、前記長さ方向の両端の内、前記拳銃保管庫の最も奥まで挿し込まれる端部を遠位端、前記遠位端の反対側の端部を近位端として、
前記厚さ方向の寸法が、前記長さ方向および前記幅方向の各寸法よりも小さい扁平な形状とされ、
前記遠位端側の形状は、前記幅方向および前記厚さ方向の寸法が遠位端側になるほど小さくなる形状とされ、
前記拳銃保管庫内に拳銃が保管された状態のまま、前記点検窓から前記拳銃保管庫内に差し入れることにより、前記拳銃を上方へ押し上げつつ、前記拳銃と前記拳銃保管庫内の拳銃載置面との間に差し込み可能に構成されている
ことを特徴とする請求項２に記載の拳銃保管庫用調湿具。
【請求項４】
前記透湿性容器は、不織布によって形成されるとともに、前記透湿性容器の内部には、前記透湿性容器が折れ曲がるのを防止する板状の補強部材が設けられ、
前記拳銃保管庫内に拳銃が保管された状態のまま、前記点検窓から前記拳銃保管庫内に差し入れた際に、前記補強部材が、前記透湿性容器が折れ曲がって差し込み不能となるのを防止している
ことを特徴とする請求項３に記載の拳銃保管庫用調湿具。
【請求項５】
前記拳銃保管庫の最も奥まで挿し込まれる端部を遠位端、前記遠位端の反対側の端部を近位端として、
前記近位端側にフックが設けられ、前記フックを引っ張ることによって前記拳銃保管庫から引き出し可能に構成されている
ことを特徴とする請求項１〜請求項４のいずれかに記載の拳銃保管庫用調湿具。
【考案の詳細な説明】
【技術分野】
【０００１】
本考案は、拳銃保管庫用調湿具に関する。
【背景技術】
【０００２】
従来、シリカゲルとしては、ＪＩＳ規格（ＪＩＳ  Ｚ  ０７０１）によって分類されたＡ形シリカゲル、Ｂ形シリカゲルなどが市販されている。Ａ形シリカゲルは、比較的湿度が低い場合に優れた吸着力を示し、周囲の湿度が低下しても吸着した水分を放出しにくい特性を有している。また、Ｂ形シリカゲルは、比較的湿度の高い場合に著しい吸湿性能を発揮し、周囲の湿度が低下すると吸着した水分を放出しやすい特性を有している。
【０００３】
これらＡ形シリカゲル、Ｂ形シリカゲルは、いずれも乾燥剤や調湿剤として利用されており、例えば、食品用の乾燥剤には、Ａ形シリカゲルが利用されている。また、精密機械を梱包したときの結露対策には、Ｂ形シリカゲルが利用されている。
【０００４】
また、これらのシリカゲルを利用した除湿用具として、透湿性のある容器内にシリカゲルを封入したものも既に提案されている（例えば、特許文献１参照。）。特許文献１に記載の除湿用具は、透湿性のある容器内にＢ形シリカゲルを封入したものである。
【特許文献１】登録実用新案第３０３４９３５号公報
【考案の開示】
【考案が解決しようとする課題】
【０００５】
ところで、警察署においては、拳銃を拳銃保管庫に収納して管理している。この拳銃保管庫は、それぞれに拳銃を一挺ずつ収容可能な複数の収容部を有する構造で、各収容部毎に設けられた扉は個々に施錠できるようになっている。また、扉の一部には、内部の状態を確認できる点検窓が設けられている。この点検窓は、拳銃を取り出すことができない程度の大きさに形成された開口部で、収容部内に拳銃が保管されているか否かを確認したい場合には、わざわざ解錠操作をして扉を開かなくても、点検窓から収容部内の様子を見ることができる。
【０００６】
警察官は、拳銃を革製の拳銃フォルダに収容して携帯しており、勤務が終わった場合など、拳銃の携帯が不要となったときには、拳銃を拳銃フォルダとともに拳銃保管庫に収納する。
【０００７】
しかし、風雨や猛暑の中での勤務後には、拳銃フォルダが雨や汗で濡れていることがあり、この水分が原因で拳銃フォルダにカビが発生したり、異臭が発生したりするという問題がある。また、こうした水分は、拳銃本体において錆が発生する要因となるなど、拳銃本体や弾丸にも悪影響を及ぼす可能性がある。
【０００８】
このような問題に対し、現在は、拳銃保管庫が設置されている拳銃保管室に換気扇を取り付けて、換気扇による換気を行うといった対策をとっている。しかし、換気扇による換気のみで十分な湿度管理を行うことは、現実的にはきわめて難しい。また、換気扇の代わりに、より高度な空調設備を導入することも、予算の都合や拳銃保管室がある場所の都合で困難なことが多い。
【０００９】
こうした背景の下、本件考案者は、シリカゲルを利用して拳銃保管庫内の除湿、調湿を行うことを検討した。
しかし、Ａ形シリカゲルを利用した乾燥剤を拳銃保管庫内に配置してみたところ、乾燥剤の量が多すぎると、庫内の湿度が急激に低下しやすく、湿度が過剰に低下する結果、革製品である拳銃フォルダの表面が細かくひび割れするといった問題を招くことがあった。また、このような問題を回避すべく、乾燥剤の量を減らすと、長期にわたって十分な吸湿能力を確保することが難しいという問題があった。したがって、Ａ形シリカゲルを利用した乾燥剤では、乾燥剤の使用量を最適化することがきわめて難しいという問題があった。
【００１０】
また、Ｂ形シリカゲルを利用した調湿剤を拳銃保管庫内に配置してみたところ、Ｂ形シリカゲルは、比較的高湿度であっても水分を放出するため、結露するほどの高湿度にはならないものの、カビの発生を完全に抑制できるほど庫内を低湿度にはできないことがあり、期待するほどの効果を得ることができなかった。
【００１１】
さらに、シリカゲルを利用した市販の除湿用具の場合、シート状に加工されたものや小さな袋に入れられたものなどがあるが、シート状に加工されたものの場合、比較的大きなものは、解錠操作をして扉を開かないと庫内へ出し入れすることができず、シリカゲルの設置や除去に手間がかかるという問題があった。
【００１２】
一方、小さな袋に入れられたものであれば、解錠操作をして扉を開かなくても、点検窓から庫内へ入れることができたが、この場合でも、庫内の奥の方へシリカゲルを配置したり、拳銃の下へシリカゲルを配置したり、これらのシリカゲルを取り出したりする際には、解錠操作をして扉を開かざるを得なかった。
【００１３】
また、拳銃の下に除湿用具を配置したい場合に、庫内に拳銃が保管された状態にあると、シート状に加工されたものでは、重量のある拳銃を押し退けるようにして拳銃の下に差し込むようなことはできないので、いちいち拳銃を取り出してから設置せざるを得ず、この点でも手間がかかるという問題があった。
【００１４】
本考案は、これらの諸問題を解決するためになされたものであり、その第１の目的は、革製品である拳銃フォルダを過剰に乾燥させることなく、しかも、拳銃保管庫内でカビが発生するのを抑制可能な拳銃保管庫用調湿具を提供することにある。また、第２の目的は、拳銃保管庫に設けられた点検窓を利用して、庫内に配置可能な拳銃保管庫用調湿具を提供することにある。
【課題を解決するための手段】
【００１５】
以下、本考案において採用した構成について説明する。
本考案の拳銃保管庫用調湿具は、透湿性のある素材によって形成された透湿性容器と、前記透湿性容器内に封入された調湿剤とを備えてなり、前記調湿剤は、相対湿度２０％における吸着率６％以上、相対湿度５０％における吸着率１６％以上、相対湿度９０％における吸着率５５％以上、細孔容積０．５５〜０．６５ｍｌ／ｇ、比表面積５００〜６００ｍ2／ｇに調製されたシリカゲルであることを特徴とする。
【００１６】
以上のように構成された拳銃保管庫用調湿具によれば、上述の如き特定の物性を持つシリカゲルが調湿剤として利用されているので、Ａ形シリカゲルやＢ形シリカゲルを利用した市販の乾燥剤や調湿剤とは異なり、拳銃保管庫内の湿度を最適化することができ、拳銃フォルダを過剰に乾燥させることなく、拳銃保管庫内でカビが発生するのを抑制することができる。
【００１７】
より詳しくは、本考案の拳銃保管庫用調湿具で採用した調湿剤は、低湿度環境下での吸湿能力がＡ形シリカゲルほど高くなく（Ａ形シリカゲルは、相対湿度２０％における吸着率１２％程度、相対湿度５０％における吸着率２５％程度、相対湿度９０％における吸着率３５％程度）、また、周囲の湿度が低下した場合にはＡ形シリカゲルよりも吸着した水分を放出しやすい。そのため、Ａ形シリカゲルを拳銃保管庫内に配置した場合ほど庫内の湿度が急激に低下することはなく、湿度が過剰に低下してしまうことがないので、革製品である拳銃フォルダの過剰な乾燥を抑制でき、拳銃フォルダ表面にひび割れができるのを防止することができる。
【００１８】
しかも、本考案の拳銃保管庫用調湿具で採用した調湿剤は、Ｂ形シリカゲルに比べると、吸着した水分を放出しにくいため（Ｂ形シリカゲルは、相対湿度２０％における吸着率５％程度、相対湿度５０％における吸着率１１％程度、相対湿度９０％における吸着率７０％程度）、僅かに湿度が低下するだけで過剰に水分を放出してしまうことがなく、庫内の湿度を、カビの発生を抑制できる程度の湿度にすることができる。
【００１９】
したがって、本考案の拳銃保管庫用調湿具を利用すれば、拳銃フォルダを過剰に乾燥させずに、拳銃保管庫内でカビが発生するのを抑制できるようになるのである。また、この程度まで湿度を低減できれば、例えば、拳銃本体において錆が発生するのも抑制できるなど、拳銃本体や弾丸にも好影響を及ぼし、拳銃の保守や点検を行う上でも効果的である。さらに、新規に空調設備を導入することが困難な場合でも、本考案の拳銃保管庫用調湿具であれば容易に導入可能であり、これにより、拳銃フォルダのひび割れやカビを防止して、拳銃フォルダの耐用寿命を延ばすことができるので、拳銃フォルダの交換にまでかかる費用を考慮すると、トータルコストを低減することができる。
【００２０】
なお、本考案の拳銃保管庫用調湿具は、さらに次のように構成されていても好ましい。
まず、本考案の拳銃保管庫用調湿具において、前記透湿性容器は、拳銃保管庫内に保管された拳銃が存在するか否かを確認するための点検窓から前記拳銃保管庫内に差し入れ可能な形態に形成されているとよい。
【００２１】
このように構成された拳銃保管庫用調湿具によれば、拳銃保管庫の点検窓から拳銃保管庫内に差し入れることができるので、解錠操作をして拳銃保管庫の扉を開くようなことをしなくても、拳銃保管庫内に調湿具を差し入れたり取り出したりすることができる。
【００２２】
また、本考案の拳銃保管庫用調湿具において、前記透湿性容器は、前記拳銃保管庫内へ設置した状態において、拳銃保管庫内への差し込み方向を長さ方向、前記長さ方向に直行する水平な方向を幅方向、前記長さ方向および前記幅方向の双方に直行する方向を厚さ方向、前記長さ方向の両端の内、前記拳銃保管庫の最も奥まで挿し込まれる端部を遠位端、前記遠位端の反対側の端部を近位端として、前記厚さ方向の寸法が、前記長さ方向および前記幅方向の各寸法よりも小さい扁平な形状とされ、前記遠位端側の形状は、前記幅方向および前記厚さ方向の寸法が遠位端側になるほど小さくなる形状とされ、前記拳銃保管庫内に拳銃が保管された状態のまま、前記点検窓から前記拳銃保管庫内に差し入れることにより、前記拳銃を上方へ押し上げつつ、前記拳銃と前記拳銃保管庫内の拳銃載置面との間に差し込み可能に構成されているとよい。
【００２３】
このように構成された拳銃保管庫用調湿具によれば、幅方向および厚さ方向の寸法が遠位端側になるほど小さくなる形状とされているので、拳銃保管庫内に拳銃が保管された状態のままでも、拳銃と拳銃保管庫内の拳銃載置面との間に楔を打ち込むようなかたちで調湿具を差し込むことにより、拳銃を取り出さなくても、拳銃を上方へ押し上げながら拳銃の下側に調湿具を簡単に配置することができる。
【００２４】
また、本考案の拳銃保管庫用調湿具において、前記透湿性容器は、不織布によって形成されるとともに、前記透湿性容器の内部には、前記透湿性容器が折れ曲がるのを防止する板状の補強部材が設けられ、前記拳銃保管庫内に拳銃が保管された状態のまま、前記点検窓から前記拳銃保管庫内に差し入れた際に、前記補強部材が、前記透湿性容器が折れ曲がって差し込み不能となるのを防止しているとよい。
【００２５】
このように構成された拳銃保管庫用調湿具によれば、透湿性容器が折れ曲がりやすい不織布で形成されているにもかかわらず、補強部材が透湿性容器の折れ曲がりを防止するので、透湿性容器が折れ曲がって差し込み不能となるのを防止することができる。
【００２６】
また、本考案の拳銃保管庫用調湿具において、前記拳銃保管庫の最も奥まで挿し込まれる端部を遠位端、前記遠位端の反対側の端部を近位端として、前記近位端側にフックが設けられ、前記フックを引っ張ることによって前記拳銃保管庫から引き出し可能に構成されていてもよい。
【００２７】
このように構成された拳銃保管庫用調湿具によれば、拳銃保管庫内に調湿具を配置した後、調湿具を取り出したい場合には、フックを引っ張ることにより、きわめて簡単に調湿具を拳銃保管庫から引き出することができる。
【考案を実施するための最良の形態】
【００２８】
次に、本考案の実施形態について一例を挙げて説明する。
図１（ａ）は、本考案の一実施形態として例示する拳銃保管庫用調湿具の正面図、同図（ｂ）は、同拳銃保管庫用調湿具の側面図、図２は、図１に示したＡ−Ａ線における断面図である。
【００２９】
この拳銃保管庫用調湿具１は、不織布によって形成された透湿性容器２と、透湿性容器２の端部に設けられたフック３とを備え、さらに、透湿性容器２の内部には、硬質な板紙５が設けられるとともに、シリカゲル７が封入された構造になっている。
【００３０】
透湿性容器２は、図２（ａ）に表れるような形態にカットされた不織布（メルフィット（登録商標）ＢＴ−０６０Ｅ、ユニセル株式会社製）２枚を重ねて、周縁部２ａで熱融着することにより、内部に封入したシリカゲル７がこぼれないように袋状に形成したものである。
【００３１】
また、透湿性容器２は、拳銃保管庫内へ設置した状態において、拳銃保管庫内への差し込み方向（図２（ａ）および同図（ｂ）における縦方向）を長さ方向、長さ方向に直行する水平な方向（図２（ａ）における横方向）を幅方向、前記長さ方向および前記幅方向の双方に直行する方向（図２（ｂ）における横方向）を厚さ方向、前記長さ方向の両端の内、前記拳銃保管庫の最も奥まで挿し込まれる端部（図２（ａ）および同図（ｂ）における上端）を遠位端、前記遠位端の反対側の端部（図２（ａ）および同図（ｂ）における下端）を近位端として、厚さ方向の寸法が、長さ方向および幅方向の各寸法よりも小さい扁平な形状とされている。すなわち、図２（ｂ）に示す方向から見たときに、最も薄く見える形状になっている。
【００３２】
さらに、透湿性容器２の遠位端側の形状は、幅方向および厚さ方向の寸法が遠位端側になるほど小さくなる形状とされている。すなわち、図２（ａ）および同図（ｂ）それぞれに示す方向から見たときに、図示下端側ほど幅が狭くて厚さが薄くなる形状となっている。
【００３３】
フック３は、プラスチック製で、透湿性容器２および板紙５に対して固定されている。
板紙５は、透湿性容器２の折れ曲がりを防止するために設けられた補強部材である。
シリカゲル７は、ＪＩＳ規格（ＪＩＳ  Ｚ  ０７０１）によって分類されたＡ形シリカゲルやＢ形シリカゲルとは異なる物性を持つ特殊なもので、具体的には、相対湿度２０％における吸着率６％以上、相対湿度５０％における吸着率１６％以上、相対湿度９０％における吸着率５５％以上、含水率２％以下、５％スラリーとしたときのｐＨ６．５、充填密度０．６０ｇ／ｍｌ、細孔容積０．６０ｍｌ／ｇ、比表面積５９０ｍ2／ｇ、平均細孔径４．０ｎｍといった物性を持つシリカゲルを採用している。この物性は、ちょうどＡ形シリカゲルとＢ形シリカゲルの中間程度の値を持つ物性となっている。
【００３４】
このシリカゲル７の吸着等温線（実施例）を、Ａ形シリカゲルやＢ形シリカゲルの吸着等温線とともに図３に示す。
Ａ形シリカゲルの場合、実施例として示したシリカゲル７やＢ形シリカゲルよりも低湿度域での吸着能力が高くなっている。しかし、このようなＡ形シリカゲルを拳銃保管庫内に配置すると、その量によっては拳銃保管庫内の湿度が過剰に低下し、革製品である拳銃フォルダに悪影響が現れることがある。
【００３５】
一方、Ｂ形シリカゲルの場合、実施例として示したシリカゲル７やＡ形シリカゲルよりも高湿度域での吸着能力が高くなっている。したがって、結露が発生しやすくなる高湿環境下では、水分を吸着し、結露の発生を抑制することができる。しかし、Ｂ形シリカゲルは、相対湿度７０〜８０％辺りの領域を境界にして、それよりも低湿域になると急激に吸着率が低下し、吸着していた水分を放出する傾向がある。そのため、このようなＢ形シリカゲルを拳銃保管庫内に配置すると、気温等との関係によっては、拳銃保管庫内の湿度が比較的高い状態になることがあり、その場合、カビの発生を十分に抑制することが難しくなる。
【００３６】
これに対し、実施例として示したシリカゲル７は、相対湿度６０％〜９０％辺りの領域において、Ａ形シリカゲルやＢ形シリカゲルよりも高い吸着率を示し、相対湿度が６０％を超えると、Ａ形シリカゲルやＢ形シリカゲル以上に湿度の上昇を抑制する。一方、相対湿度が５０％以下辺りになると、Ａ形シリカゲルほど高い吸着率は示さなくなり、吸着していた水分を放出する。したがって、実施例として示したシリカゲル７を用いれば、Ａ形シリカゲルのように過剰に湿度を低下させることはなく、Ｂ形シリカゲルのように過剰に水分を放出することもなく、湿度を６０％前後の領域で安定させることができる。
【００３７】
以上のように構成された拳銃保管庫用調湿具１は、図４に示すように、拳銃保管庫１１の内部に差し入れられる。より詳しく説明すると、拳銃保管庫１１は、外扉１３を開けると、その中に複数の内扉１５があり、個々の内扉１５を開けると、その中に拳銃を一挺ずつ収容することができるようになっている。各収容部毎に設けられた内扉１５は個々に施錠できるようになっている。また、内扉１５の一部には、内部の状態を確認できる点検窓１７が設けられている。この点検窓１７は、拳銃を取り出すことができない程度の大きさに形成された開口部で、収容部内に拳銃が保管されているか否かを確認したい場合には、わざわざ解錠操作をして内扉１５を開かなくても、点検窓１７から収容部内の様子を見ることができる。
【００３８】
このような拳銃保管庫１１の内部に拳銃保管庫用調湿具１を配置する際には、点検窓１７から拳銃保管庫用調湿具１を差し入れることができ、これにより、個々の内扉１５内の空間において、湿度の調整を行うことができる。また、点検窓１７から拳銃保管庫用調湿具１を差し入れる際には、フック３を手前側にして拳銃保管庫用調湿具１を点検窓１７から差し込めば、幅および厚さが遠位端側ほど細くなっている拳銃保管庫用調湿具１を、拳銃の下に差し込むことができるので、拳銃の下に拳銃保管庫用調湿具１を配置する際に、わざわざ拳銃を取り出す必要はない。
【００３９】
また、拳銃保管庫１１の内部から拳銃保管庫用調湿具１を取り出す際には、フック３に指を引っかけて拳銃保管庫用調湿具１を引き出すことができるので、拳銃を取り出すことができないような狭い点検窓１７からでも、容易に拳銃保管庫用調湿具１を取り出すことができる。
【００４０】
したがって、拳銃保管庫１１の内部に拳銃保管庫用調湿具１を配置する場合、拳銃保管庫１１の内部から拳銃保管庫用調湿具１を取り出す場合、どちらの場合でも内扉１５の開放は不要であり、面倒な手間がかからない。また、内扉１５の開放が許されていない職員であっても、拳銃保管庫用調湿具１の交換を行うことができる。
【００４１】
図５は、実際に拳銃保管庫１１の内部に拳銃保管庫用調湿具１を配置して、その温度および湿度の変化を測定したグラフである。比較のため、拳銃保管庫用調湿具１を配置していない別の拳銃保管庫ついても、その温度および湿度の変化を測定した。
【００４２】
なお、測定日は、平成１８年５／１８〜６／１８の一ヶ月間とした。また、測定には、株式会社チノー製のデータロガーおよび温湿度計を使用した。シリカゲル７の量は、６０ｇである。
【００４３】
図５に示したグラフから明らかなように、拳銃保管庫用調湿具１を配置した場合、水分未吸着のシリカゲル７が存在することから、初期段階では急激に湿度が低下するものの、以降は徐々に湿度が上昇し、相対湿度６０％前後で湿度変化が安定する。一方、拳銃保管庫用調湿具１を配置していない場合、湿度変化が大きく、また、相対湿度が７０％を超えるときもある。
【００４４】
通常、相対湿度６０％前後ではカビの発生は抑制されるものの、相対湿度が７０％を超えるとカビが発生しやすくなる。したがって、この拳銃保管庫用調湿具１を配置すれば、拳銃保管庫１１内におけるカビの発生を抑制できるものと期待でき、また、カビの発生に伴う異臭・悪臭の発生も抑制できるものと考えられる。
【００４５】
また、Ａ形シリカゲルのように過剰に相対湿度を低下させることはなく、相対湿度を６０％前後に保つことができるので、革製品である拳銃フォルダの表面を過剰に乾燥させてしまうこともなく、拳銃フォルダ表面にひび割れが発生することもない。
【００４６】
したがって、拳銃フォルダは、カビから保護されるとともに、ひび割れからも保護されることになり、これまで以上に拳銃フォルダの耐用寿命を延ばすことができる。拳銃フォルダは、比較的高価な製品であるため、拳銃フォルダの耐用寿命が延びれば、拳銃保管庫用調湿具１に要する費用は十分に相殺可能であり、トータルで見ると拳銃および拳銃フォルダの管理および品質維持にかかるコストを低減することができる。
【００４７】
以上、本考案の実施形態について説明したが、本考案の構成手段については上記実施形態以外にも種々考えられる。
例えば、上記実施形態では、透湿性容器２を不織布のみで形成してあったが、一方の面を不織布、他方の面をプラスチックフィルムとするなど、異種材料を組み合わせて透湿性容器を構成することもできる。
【００４８】
また、上記実施形態では言及しなかったが、拳銃保管庫用調湿具１の交換時期や再生時期を確認しやすくするため、吸湿に伴って色が変わる吸湿インジケータとしてのシリカゲル（例えば、塩化コバルトを担持させたシリカゲル；いわゆる青ゲル）を、シリカゲル７の中に混入してもよい。
【図面の簡単な説明】
【００４９】
【図１】（ａ）は、本考案の一実施形態として例示する拳銃保管庫用調湿具の正面図、（ｂ）は、同拳銃保管庫用調湿具の側面図。
【図２】図１に示したＡ−Ａ線における断面図。
【図３】実施例として示したシリカゲル、Ａ形シリカゲル、およびＢ形シリカゲルの吸着等温線を示すグラフ。
【図４】拳銃保管庫用調湿具および拳銃保管庫を示す斜視図。
【図５】拳銃保管庫用調湿具の有無による温度および湿度の変化の違いを示すグラフ。
【符号の説明】
【００５０】
１・・・拳銃保管庫用調湿具、２・・・透湿性容器、３・・・フック、５・・・板紙、７・・・シリカゲル、１１・・・拳銃保管庫、１３・・・外扉、１５・・・内扉、１７・・・点検窓。
【図１】
0003127437.tif 000003
【図２】
0003127437.tif 000004
【図３】
0003127437.tif 000005
【図４】
0003127437.tif 000006
【図５】
0003127437.tif 000007